(57)【要約】
【課題】ヘアピン８を差し込むことでその仮保持ができ、仮保持したヘアピン８を簡単に開脚可能とする。
【解決手段】ケース本体２内を、内部を左右方向及び前後方向の少なくとも一方を向いている仕切壁４で区画して複数の収納部を形成し、前記仕切壁４Ａをケース本体２に対して着脱自在とし、当該仕切壁４の上部にヘアピンを差し込んで仮保持すると共に仮保持したヘアピンの開脚を可能とする仮保持部６Ａ，６Ｂを設ける。
【選択図】図１
0003100876.tif 000002
【実用新案登録請求の範囲】
【請求項１】
内部を左右方向及び前後方向の少なくとも一方を向いている仕切壁で区画して複数の収納部を形成したケース本体を有しており、前記仕切壁はケース本体に対して着脱自在であり、当該仕切壁の上部にヘアピンを差し込んで仮保持すると共に仮保持したヘアピンの開脚を可能とする仮保持部が設けられていることを特徴とするヘアピンケース。
【請求項２】
内部を左右方向及び前後方向の少なくとも一方を向いている仕切壁で区画して複数の収納部を形成したケース本体を有しており、前記仕切壁はケース本体に対して着脱自在であり、ケース本体の側壁外側には、ヘアピンを差し込んで仮保持すると共に仮保持したヘアピンの開脚を可能とするフランジ状の仮保持部が設けられていることを特徴とするヘアピンケース。
【請求項３】
前記フランジ状の仮保持部には、ヘアピンを仮保持の姿勢から回動して開脚させた際にヘアピンの片脚が挿入可能な開口部が形成されていることを特徴とする請求項２に記載のヘアピンケース。
【請求項４】
前記ケース本体には、このケース本体を開閉するケースカバーが着脱自在に設けられており、このケースカバーの内面に仕切壁の上縁と係合することでヘアピンの収納部間移動を規制する規制部が形成されていることを特徴とする請求項１〜３のいずれかに記載のヘアピンケース。
【考案の詳細な説明】
【技術分野】
【０００１】
本考案は、髪形をセットする際に使用するヘアピンを収納するヘアピンケースに関するものである。
【背景技術】
【０００２】
従来より、人間の頭部毛髪を所定の位置に留め、所望の髪型にするためのものの１つとして、従来よりヘアピンが用いられている。
このヘアピンを多数使用する美容院や美容技術学校においては、美容師は使い勝手を考えヘアピンを同種ごとに分けた上で既成のケースに収納し、セット時はそのケースから必要な本数取り出して使用していた。
また、ヘアピンを髪に取り付ける際、美容師はヘアピンを開脚させ、その間に固定したい髪の毛を挟み込むようにしていた。その際、ヘアピンの脚に指や爪で力を加えることで開脚させたり、口や歯で片脚をくわえつつもう一方の片脚を指で開いていた。
【考案の開示】
【考案が解決しようとする課題】
【０００３】
しかしながら、ヘアピンを指や爪で力を加え開脚させる操作は効率が悪い上に、ヘアピンを口でくわえて開脚させることは非常に不衛生であった。
そこで、本考案は、上記問題点に鑑み、ヘアピンの仮保持や開脚などの取り扱いが容易にできる機能を備えるヘアピンケースを提供することを目的とするものである。
【課題を解決するための手段】
【０００４】
この目的を達成するため、本考案においては以下の技術的手段を講じた。
すなわち、本考案における課題解決のための技術的手段は、内部を左右方向及び前後方向の少なくとも一方を向いている仕切壁で区画して複数の収納部を形成したケース本体を有しており、前記仕切壁はケース本体に対して着脱自在であり、当該仕切壁の上部にヘアピンを差し込んで仮保持すると共に仮保持したヘアピンの開脚を可能とする仮保持部が設けられていることを特徴とする。
この技術的手段によれば、ケース本体内の複数の収納部に予め分別したヘアピンを個別に収納できるようになる。また、ケース本体から仕切壁を取り外すことで、収納部の大きさを大きくすることができ、仕切壁をつけることで、既存の収納部を複数の収納部に分割することができるようになる。さらに、仕切部の上部に設けられた仮保持部にヘアピンを差し込むことで容易にヘアピンの開脚が行えると共に、仮保持部に複数のヘアピンを仮保持することができるようになる。
【０００５】
また、本考案における課題解決のための技術的手段は、内部を左右方向及び前後方向の少なくとも一方を向いている仕切壁で区画して複数の収納部を形成したケース本体を有しており、前記仕切壁はケース本体に対して着脱自在であり、ケース本体の側壁外側には、ヘアピンを差し込んで仮保持すると共に仮保持したヘアピンの開脚を可能とするフランジ状の仮保持部が設けられていることを特徴とする。
この技術的手段によれば、ケース本体内の複数の収納部に予め分別したヘアピンを個別に収納できるようになる。また、ケース本体から仕切壁を取り外すことで、収納部の大きさを大きくすることができ、仕切壁をつけることで、既存の収納部を複数の収納部に分割することができるようになる。さらに、フランジ状の仮保持部にヘアピンを差し込むことで容易にヘアピンの開脚が行えると共に、当該仮保持部に複数のヘアピンを差し挟んだ状態で仮保持することができるようになる。
【０００６】
また、本考案における課題解決のための技術的手段は、前記フランジ状の仮保持部には、ヘアピンを仮保持の姿勢から回動して開脚させた際にヘアピンの片脚が挿入可能な開口部が形成されていることを特徴とする。
この技術的手段によれば、フランジ状の仮保持部に保持されているヘアピンを上方に回動することでその片脚が開口部に挿入され、ヘアピンを大きく開脚させることができるようになる。
また、本考案における課題解決のための技術的手段は、前記ケース本体には、このケース本体を開閉するケースカバーが着脱自在に設けられており、このケースカバーの内面に仕切壁の上縁と係合することでヘアピンの収納部間移動を規制する規制部が形成されていることを特徴とする。
【０００７】
この技術的手段によれば、ケースカバーをケース本体に被せることで、収納部の開口が閉塞されると共に、仕切壁の上縁とケースカバー内面により形成される隙間がほとんど無くなるようになる。したがって、ケース本体を持ち歩くなどして移動させた場合でも、ケース本体内からヘアピンが外に飛び出てバラバラにならない上に、各収納部間でのヘアピンの移動も防ぐことができるようになる。
【考案の効果】
【０００８】
本発明にかかるヘアピンケースを用いることで、ケース本体内の複数の収納部に予め分別したヘアピンを個別に収納できるようになる。また、ケース本体から仕切壁を取り外すことで収納部の大きさを大きくすることができ、仕切壁をつけることで既存の収納部を複数の収納部に分割することができるようになる。さらに、仮保持部にヘアピンを差し込むことで容易にヘアピンの開脚が行えると共に、仮保持部に複数のヘアピンを仮保持することができるようになる。
【考案を実施するための最良の形態】
【０００９】
以下、本考案の実施の形態を図面に基づいて説明する。
図１〜図６に示す如く、ヘアピンケース１は、内部を前後方向（図２の上下方向）に長い仕切壁４及び左右方向（図２の左右方向）に長い仕切壁４で区画して複数の収納部９を形成したケース本体２を有し、この収納部９内の左右方向の向きに、各収納部９にほぼ対応した長さを有するヘアピン８若しくは同種類のヘアピン８がそれぞれ収納されている。
このケース本体２には、ケースカバー７が着脱自在に取り付けられていると共に、ヘアピン８を差し込んだ上で仮保持可能で且つ仮保持状態のヘアピンを開脚可能にする仮保持部が備えられている。
【００１０】
仮保持部は、仕切部４の上部に設けられている第１仮保持部６Ａと、右側壁３９Ａ外面にフランジ状で外方へ突出するように設けられた第２仮保持部６Ｂとを有している。
詳しくは、図２〜図５に示すように、ケース本体２は左右方向に長い直方体であり、上方が開口部４２となっている。ケース本体２の内部は、左右方向に長い仕切壁４で前後方向２つに区画されており、さらに、区画された２つの空間は、前後方向に長い２つの仕切壁４により３つの収納部９に区画されている。したがって、このケース本体２の内部は６つの収納部９に区画され、さらに、各収納部９は、各種ヘアピンを収納できるようにその左右方向の長さが異なっている。
【００１１】
仕切壁４は、その上部に、上縁５より下方部で厚肉となる第１仮保持部６Ａが設けられており、この厚肉部位は二重側壁構造であって、二重側壁間に形成される空間３２は下方（ケース載置台４８側）に開放される構造となっている。これにより厚肉部位の内部は中空となり、すなわち、各収納部９を形成する側壁１１Ａ，１１Ｂは空間を挟んで独立して形成され、仕切壁４を形成する材料を節減している。
本実施形態の場合、図４の４Ａのようにケース本体内を左右に仕切る仕切壁は、二重側壁構造でなく、一枚の板で構成され、その上縁５に第１仮保持部６Ａが形成されるものとなっており、ケース本体２から着脱自在となっている。
【００１２】
詳しくは、図１，図２，図４に示される如く、ケース本体２を前後に仕切る仕切壁４の側面に一対の挟持部材３７Ａ，３７Ａが固着されている。この挟持部材３７Ａ，３７Ａは、断面略矩形の長尺であって、左右方向に仕切る仕切壁４Ａをその板厚方向に挟み込みうる間隔をもって上下向きに配置されると共に、当該一対の挟持部材３７Ａ，３７Ａに対向するケース本体内壁にも一対の挟持部材３７Ｂ，３７Ｂが設けられている。
この一対の挟持部材３７Ａ，３７Ａ及び３７Ｂ，３７Ｂが形成する隙間に入り込むように仕切壁４Ａを上方から差し込むことで、既存の収納部９を複数（２つ）の収納部９に分割することができるようになる。逆に、この仕切壁４Ａは挟持部材３７Ａ，３７Ａ及び３７Ｂ，３７Ｂで挟み込まれているだけであるため、図１の２点鎖線で示すように、ケース本体２から仕切壁４Ａを上方へ取り外すことで、収納部９の大きさを大きくこのすることができるものとなっている。
【００１３】
分離される前の収納部９は幅方向に長いため、ヘアクリップ等の長尺の髪留め具を収納することができ、仕切壁４Ａで２つの収納部９に区切った場合は、ヘアピン等を収納するのに好適となる。
ケース本体２の側壁３９で上部開口部４２よりやや下がった位置には、全周に渡ってフランジ１３が外方に突出しており、ケースカバー７閉蓋時に、ケースカバー７の受けになっている。
前記フランジ１３の内、ケース本体２の右側壁３９Ａの外面にあたる部位は、さらに外方へ突出したフランジ形状の第２仮保持部６Ｂとなっている。この第２仮保持部６Ｂは、ヘアピン８の片脚を挿入することが可能な大きさの開口部１０を前後方向に２つ有している。この２つの開口部の間に形成される架橋部４４は、第２仮保持部６Ｂの剛性を増加させる作用を奏している。
【００１４】
第２仮保持部６Ｂには、その前後方向両側と架橋部４４の下側に補強三角片４５が形成されている。この補強三角片４５の一辺は右側壁３９Ａの外面に固着しているため、第２仮保持部６Ｂの剛性がさらに増すこととなりヘアピン８の開脚を容易にする。また、ヘアピン８開脚時に大きな力が第２仮保持部６Ｂに加わったとしても、かかる補強三角片４５があるため、第２仮保持部６Ｂが根本から折れるなどの不都合を生じることはない。
図３、図４に示すように、前記収納部９の底壁１２内面と左右方向側壁１１Ａにより形成されるコーナー部１７Ａが断面略円弧状となっている。さらに、底壁１２内面と前後方向側壁１１Ｂにより形成されるコーナー部１７Ｂも断面略円弧状となっている。すなわち、各収納部９の底壁１２のコーナー部１７Ａ，１７Ｂは外向きに丸みを有している。
【００１５】
収納部９の底壁１２内面のコーナー部１７Ａが丸みを帯びているため、ヘアピン８が少なくなっても、このコーナー部１７Ａに滞ることなくヘアピン８をスムーズに取り出せるようになる。また、コーナー部１７Ｂが丸みを帯びているため、ヘアピン８がコーナー部１７Ｂで押し戻され、常に収納部９の中央部に位置するようになり、その取り出しがさらに容易になる。
加えて、各収納部９の内面で前後方向には、ヘアピン８を磁力で吸着するヘアピン磁着部材２０であるシート状マグネットが帯状に貼り付けてある。これにより、収納部９の側壁１１上方のヘアピン磁着部材２０にヘアピン８が一本ずつ分離して磁着することになり、ヘアピン８を取り出しやすくなる上に指先でヘアピン８を探す手間が不要となる。
【００１６】
なお、前記ヘアピン磁着部材２０の貼り付け方向は前後方向に限定されるものではなく、左右方向であっても問題はない。収納部９内面の全面に貼り付けてあってもよい。
さらに、図５に示すように、ケース本体２の底壁１２下面には滑り止め部材２１が設けてある。すなわち、ケース本体２の底壁１２下面のそれぞれ前後左右方向四隅には、枠部２２が形成されており、その中側に滑り止め部材２１であるゴムが貼り付けられて、その枠部２２よりゴムが下方に突出するようになっている。
したがって、ケース本体２をケース載置台４８に置いた場合に、このゴムがケース載置台４８と接触することになる。そのため、ヘアピン８を取り出したり第１及び第２仮保持部６Ａ，６Ｂでヘアピン８を開脚させる時にも、ケース本体２がケース載置台４８上を滑ることが無くなり、作業をスムーズに行える。また、ケース本体２が狭いケース載置台４８に置かれている場合、そこからの滑り落ちをも防止できる。
【００１７】
ケース本体２には、ケース本体２の上方開口部４２を開閉するケースカバー７が、本体２に２つのヒンジ２７により回動自在に取り付けられている。このヒンジ２７は雄雌間で取り外しが可能なる構成であるため、ケースカバー７はケース本体２に着脱自在であり、必要に応じてケースカバー７を取り外しできる。
さらに、ケース本体２の前面左右２カ所に、閉蓋時にケース本体２とケースカバー７を連結固定する為のフック２６が設けられている。ケースカバーの前面２カ所には、前記フック２６が引っ掛かる突起部３０が設けられている。
【００１８】
このケースカバー７内面には、ヘアピン８の収納部９間移動を規制する規制部１５が形成されている。より詳しくは、前記仕切壁４の上縁５とケースカバー７内面により形成される隙間をなくすために、前記上縁５に嵌合する２本の突条により形成される突条溝部が形成され、規制部１５として作用するようになっている。
これにより、ケースカバー７をケース本体２に被せることで、収納部９の上方開口部４２を閉じることができると共に、上縁５とケースカバー７内面により形成される隙間をなくすことができる。前記突条溝部１５と嵌り合う上縁５は、好ましくは、図３，４に示すように、その両側で上方開口部４２とほぼ同一高さに、滑り止めゴム２９を貼り付けることがよい。これにより、突条溝部１５と上縁５の嵌合状態が容易に解消されにくくなり、ひいてはケースカバー７が不用意に外れることを防ぐことになる。
【００１９】
以上述べた本実施形態のヘアピンケース１は、プラスチック等を材料とし、ケース本体２とケースカバー７がそれぞれ射出成形されている。しかしながら、この形態に限定されるものではなく、強度が必要とされる場合は、鋼板等を屈曲、溶接することで形成しても何ら問題はない。
なお、本考案は、上記実施の形態に限定されるものではない。
すなわち、着脱自在の仕切壁は４Ａに限定されるものではなく、全ての仕切壁４が着脱自在であってもよい。そうすることで、使用者は所望する大きさの収納部９を複数作ることができるようになり非常に便利なものとなる。
【図面の簡単な説明】
【００２０】
【図１】本考案の実施形態を示す斜視図である。
【図２】本考案の実施形態を示す平面図である。
【図３】ケースカバー分離状態における図２におけるＡ−Ａ線断面図である。
【図４】ケースカバー分離状態における図２におけるＢ−Ｂ線断面図である。
【図５】ケースカバー開放状態における本考案の実施形態の底面図である。
【図６】ヘアピンの開脚方法を示す斜視説明図である。
【符号の説明】
【００２１】
１      ヘアピンケース
２      ケース本体
４      仕切壁
４Ａ    着脱自在なる仕切壁
６Ａ    （仕切壁上部の）仮保持部
６Ｂ    （フランジ状の）仮保持部
８      ヘアピン
３７Ａ  挟持部材
３７Ｂ  挟持部材
【図１】
0003100876.tif 000003
【図２】
0003100876.tif 000004
【図３】
0003100876.tif 000005
【図４】
0003100876.tif 000006
【図５】
0003100876.tif 000007
【図６】
0003100876.tif 000008